(57)【要約】  【課題】  設置精度をそれ程要求されず且つ部品点数の増加による大型化やコストの上昇を招くことなく、波長の異なる複数の光源からの光を均一に混合して光量ムラのない均一な光線束を出力できる光源ユニットを提供する。  【解決手段】  フィルム画像読取用の第一光源２と、フィルムノイズ検出用の第二光源３と、前記第一光源２の出力光線束から前記第二光源３の波長成分を除去する光学フィルタ２Ａと、前記光学フィルタ２Ａを介した前記第一光源２からの光線束及び前記第二光源３からの光線束が入射する入光部２Ａ、２Ｂ、及び、前記入光部２Ａ、２Ｂから入射して内壁面で拡散反射された光線束を出力する出光部６を備えた光拡散中空体７と、前記出光部６から出力された光線束を拡散する拡散板５を備えて構成される。  【選択図】  図１
2005308788.tif 000002
【特許請求の範囲】
【請求項１】
フィルム画像読取用の第一光源と、フィルムノイズ検出用の第二光源と、前記第一光源の出力光線束から前記第二光源の波長成分を除去する光学フィルタと、前記光学フィルタを介した前記第一光源からの光線束及び前記第二光源からの光線束が入射する入光部、及び、前記入光部から入射して内壁面で拡散反射された光線束を出力する出光部を備えた光拡散中空体と、前記出光部から出力された光線束を拡散する拡散板を設けて構成してある光源ユニット。
【発明の詳細な説明】
【技術分野】
【０００１】
本発明は、フィルム画像読取用の第一光源とフィルムノイズ検出用の第二光源を備え、第一光源からの出力光線束を用いてフィルムに記録された画像を読み取り、第二光源からの出力光線束を用いてフィルムの傷や埃を検出し、検出されたフィルムノイズを第一光源で読み取られたフィルム画像データに基づいて補正するフィルムスキャナに好適な光源ユニットに関する。
【背景技術】
【０００２】
従来、フィルムスキャナに用いられる光源ユニットとして、上述した第一光源及び第二光源を共通のハロゲンランプで構成し、ハロゲンランプの光線束をＲＧＢ成分の可視光域と赤外光域とに分離する光学フィルタを配置し、光学フィルタを通過した可視光を第一光源からの出力光線束として取り出し、同じく光学フィルタを通過した赤外光を第二光源からの出力光線束として取り出すものがあった。
【０００３】
上述した光源ユニットでは、可視光のうちのＲ成分と赤外光の波長が接近しているため、必要な波長の光を透過させるためには高価な光学フィルタを使用してカット特性を厳密に管理しなければならず、また、ノイズを検出するのに必要な赤外光の波長範囲は狭小であるが、光学フィルタでカットするとその前後の波長の光も透過されるので、第二光源からの出力光線束によるフィルム画像に、ノイズ成分以外のフィルム画像のＲ成分が含まれ、傷や埃の特定に悪影響を及ぼすという問題があった。
【０００４】
そこで、図３に示すように、フィルム画像読取用の第一光源２としてハロゲンランプを用い、その出力光線束から赤外域の波長成分を除去する光学フィルタ２Ａを設けるとともに、フィルムノイズ検出用の第二光源３として赤外ＬＥＤを用い、ハロゲンランプ２からの可視光を反射させ、赤外ＬＥＤ３からの赤外光を透過するコールドミラー１００を光路内に設けて、それらの光線束を共通光路に導き、ミラートンネル２００を通過した拡散光をフィルムＦに照射する光源ユニットが提案されている。
【０００５】
この種の光源ユニットとして、ハロゲンランプからの出射光から赤外成分を除去するＩＲカットフィルタ、色分解フィルタ、ミラーボックスが光軸に沿って順に配設され、ミラーボックスの側面には、赤外域のＬＥＤ光を写真フィルムのコマ画像に照射可能に案内する導光路が一体的に設けられたものがある。
【特許文献１】特開２００３−１１０８２４号公報
【発明の開示】
【発明が解決しようとする課題】
【０００６】
上述した従来の技術によれば、可視光と赤外光を合成するコールドミラーや拡散処理するためのミラーボックスが必要となり、可視光と赤外光の光軸を一致させるためにコールドミラーを精度良く設置しなければならず、さらに部品点数の増加による大型化やコストの上昇を来たすという問題があった。
【０００７】
本発明は、上述の従来欠点に鑑み、設置精度をそれ程要求されず且つ部品点数の増加による大型化やコストの上昇を招くことなく、波長の異なる複数の光源からの光を均一に混合して光量ムラのない均一な光線束を出力できる光源ユニットを提供する点にある。
【課題を解決するための手段】
【０００８】
上述の目的を達成するため、本発明による光源ユニットの第一の特徴構成は、特許請求の範囲の書類の請求項１に記載した通り、フィルム画像読取用の第一光源と、フィルムノイズ検出用の第二光源と、前記第一光源の出力光線束から前記第二光源の波長成分を除去する光学フィルタと、前記光学フィルタを介した前記第一光源からの光線束及び前記第二光源からの光線束が入射する入光部、及び、前記入光部から入射して内壁面で拡散反射された光線束を出力する出光部を備えた光拡散中空体と、前記出光部から出力された光線束を拡散する拡散板を設けて構成してある点にある。
【０００９】
第一光源から光学フィルタを通過して第二光源の波長成分が除去された光線束、及び、第二光源からの出力光線束という波長の異なる複数の光線束が入光部から入光して、光拡散中空体の内壁面で拡散反射が繰り返される結果、十分に均一な光量の光線束として出光部から出力される。そのような光線束を拡散板により再度拡散させることにより光量ムラのない光線束が得られる用になるのである。
【００１０】
しかも、光源からの出力光線束を受け入れる入光部、及び、フィルムに対して出力する出光部を、光拡散中空体の適当な位置に適宜設定することにより光源ユニットをコンパクトに構成でき、従来のミラーを用いた場合に要求されるような各光源とミラーのなす光軸の高精度の管理も不要となるばかりでなく、部品点数の減少によるコストの低減も図れるようになるのである。
【発明の効果】
【００１１】
以上説明したように、本発明によれば、設置精度をそれ程要求されず且つ部品点数の増加による大型化やコストの上昇を招くことなく、波長の異なる複数の光源からの光を均一に混合して光量ムラのない均一な光線束を出力できる光源ユニットを提供することができるようになった。
【発明を実施するための最良の形態】
【００１２】
以下に本発明による光源ユニット及びその光源ユニットを備えたフィルムスキャナの実施の形態を説明する。図１に示すように、光源ユニット１は、フィルム画像読取用の第一光源２と、フィルムノイズ検出用の第二光源３と、前記第一光源２の出力光線束から前記第二光源３の波長成分を除去する光学フィルタ２Ａと、前記光学フィルタ２Ａを介した前記第一光源２からの光線束及び前記第二光源３からの光線束が入射する入光部４Ａ、４Ｂ、及び、前記入光部４Ａ、４Ｂから入射して内壁面で拡散反射された光線束を出力する出光部６を備えた光拡散中空体７と、前記出光部６から出力された光線束を拡散する拡散板５を設けて構成してある。
【００１３】
前記第一光源２は、ハロゲンランプ及び反射鏡を備えて構成され、前記第一光源２から発せられた出力光線束は、前記光学フィルタ２Ａによって赤外線波長である前記第二光源３の波長成分が除去され、前記入光部４Ａから前記光拡散中空体７に入射される。前記第二光源３は赤外ＬＥＤ等で構成され、前記第二光源３から発せられた出力光線束は、前記入光部４Ｂから前記光拡散中空体７に入射される。
【００１４】
前記光拡散中空体７は略球面形状で、その内壁面７Ｂは、図１に示すように、硫酸バリウム等でなる白色の塗料を塗布して拡散反射するように構成され、前記入光部４Ａ、４Ｂから入射した光源からの光線束を完全拡散光にして前記出光部６より放射するもので、前記入光部４Ａ、４Ｂから入射した光線束が前記出光部６から直接出力されることのないように、前記入光部４Ａ、４Ｂから入射した光線束の光路と前記光拡散中空体７の壁面との交差する領域とは異なる位置に前記出光部６が形成され、積分球として作用する。
【００１５】
前記光拡散中空体７の表面の一部がフラットに形成され、前記出光部６は、そのフラットな面に写真フィルムのコマ画像の形状に対応した形状に開口形成され、以って、前記入光部４Ａ、４Ｂより入射された光線束が光量分布の均一な光線束として出力される。
【００１６】
前記出光部６には、拡散板５を着脱自在に取付ける取付座が設けられ、前記拡散板５を取付けた状態では、前記光拡散中空体７の周囲に浮遊する塵埃が前記光拡散中空体７の内部に流入することは無く、内壁部の反射面が汚染されることは無い。
【００１７】
前記光拡散中空体７により拡散され、前記出光部６より出力された光線束は、さらに前記拡散板５により拡散され光量ムラが完全に解消された状態で、フィルムＦに照射される。
【００１８】
上述した光源ユニット１を備え、光源ユニット１から出力され、フィルム搬送装置により搬送される写真フィルムを透過した光線束に基づいて写真フィルムに担持された画像を読み取る撮像素子を備えた写真処理装置について説明する。
【００１９】
図２に示すように、写真処理装置はフィルムスキャナ１０とプリンタ２０とで構成される。フィルムスキャナ１０は、第一光源２としての前記ハロゲンランプ２及び第二光源３としての前記赤外ＬＥＤ３からの出力光線束をフィルムＦ面に案内する光源ユニット１と、フィルムＦを搬送する自動フィルム搬送装置１１と、光源ユニット１からの出力光によるフィルム透過光を読み取るＣＣＤエリアセンサを備えた撮像部１２を備えて構成される。
【００２０】
前記自動フィルム搬送装置１１は、フィルムを一定速度で間歇搬送する駆動ローラ１１Ａが設けられ、撮像部１２は、写真フィルムＦの幅方向に沿って配置されるＣＣＤエリアセンサとフィルム画像をＣＣＤエリアセンサの受光部に結像させる光学系を備えて構成され、以って、図２の矢印方向に沿ってフィルム読取位置に搬送された写真フィルムＦのコマ画像が、ＣＣＤエリアセンサにより読み取られる。
【００２１】
前記ＣＣＤエリアセンサは、光を検出する複数の受光部が写真フィルムの長手方向及び幅方向に沿って平面的に並べられており、各受光部が受光した光に応じて画像データの読み取りを行う。
【００２２】
前記プリンタ２０は、ロール状の印画紙Ｐが収容されたマガジン２２と、マガジン２２から印画紙Ｐを引き出し搬送経路に沿って搬送するアドバンスローラ２３や露光用搬送ローラ２４と、搬送経路に配置され、印画紙Ｐを所定サイズに切断するカッター２５と、搬送経路の露光位置に配置され、前記フィルムスキャナ１０により読み取られた画像データに基づいて印画紙Ｐに画素単位で画像を焼き付け露光するレーザ方式の露光エンジン２１と、露光後の印画紙Ｐを現像処理する現像部２６と、現像処理後の印画紙Ｐを乾燥処理する乾燥処理部２７と、上述した各機能ブロックを作動制御する制御部２８と、プリントサイズなどの出力処理条件等を設定入力する操作部２９と、プリント画像を表示するモニタ３０などを備えて構成される。
【００２３】
以下に別実施の形態を説明する。上述の実施形態では、前記光拡散中空体７が略球面形状に構成されたものを説明したが、前記光拡散中空体７の形状はこれに限定されるものではなく、円筒状の中空体で形成され、当該円筒の周面に軸心に平行に出光部が形成されたものであってもよいし、他の形状であってもよい。
【００２４】
上述した実施形態では、可視光波長領域の光を出力する第一光源としてハロゲンランプを用いたものを説明したが、第一光源として使用されるランプはハロゲンランプ以外にメタハライドランプ等、可視光波長領域の光を出力するランプを用いることができる。
【００２５】
出光部の形状は、写真フィルムのコマ画像の形状に対応した形状に形成され、ＣＣＤエリアセンサによりコマ画像を読み取るものについて説明したが、その形状は特に限定されるものではなく、用途に応じて適宜設定されるものである。例えば、出光部の形状をスリット状に形成し、副走査方向に一定速度で搬送されるフィルムのコマ画像をＣＣＤラインセンサにより読み取るように構成するものであってもよい。
【００２６】
上述した実施形態は、本発明による光源ユニットの一例に過ぎず、その形状、材質、大きさなどは特に限定されるものではない。さらに、本発明による光源ユニットの適用例は、フィルムスキャナや、アナログ方式の投影露光装置に限るものでもなく、その均質な光量が必要とされるような任意の機器に適用可能である。
【００２７】
上述した実施形態では、フィルムノイズ検出用の第二光源として赤外光を出力するものを説明したが、第二光源の波長はフィルムノイズを検出するためのものであり、赤外に限るものではなく、他の波長、例えば、紫外領域の光を出力するものであってもよい。
【図面の簡単な説明】
【００２８】
【図１】（ａ）は本発明による光源ユニットの平面図、（ｂ）は同正面図
【図２】本発明による光源ユニットが使用される写真処理装置のブロック構成図
【図３】従来例による光源ユニットの断面図
【符号の説明】
【００２９】
１：光源ユニット
２：第一光源
３：第二光源
４Ａ：入光部
４Ｂ：入光部
５：拡散板
６：出光部
７：光拡散中空体
【図１】
2005308788.tif 000003
【図２】
2005308788.tif 000004
【図３】
2005308788.tif 000005